(57)【要約】【課題】検知エリアを横切る熱源の検知を抑制することが可能な赤外線検出装置を提供する。【解決手段】赤外線検出装置１０は、焦電素子と、光学系と、を備える。光学系は、一列に並んだ複数のレンズを含み焦電素子に赤外線を集光する。焦電素子と光学系とを含む受光ユニットにより決まる検知エリア１１は、複数のレンズに一対一に対応する複数の小検知エリア１２を含む。光学系は、検知対象の熱源２００が複数の小検知エリア１２に交差する第１方向Ｄ１に移動するときの焦電素子の感度が、熱源２００が複数のレンズのうちの１つのレンズの光軸に沿った第２方向Ｄ２に移動するときの焦電素子の感度よりも低くなるように構成されている。【選択図】図６
2019039777.tif 000002
【特許請求の範囲】
【請求項１】
焦電素子と、
一列に並んだ複数のレンズを含み前記焦電素子に赤外線を集光する光学系と、を備え、
前記焦電素子と前記光学系とを含む受光ユニットにより決まる検知エリアは、前記複数のレンズに一対一に対応する複数の小検知エリアを含み、
前記光学系は、検知対象の熱源が前記複数の小検知エリアに交差する第１方向に移動するときの前記焦電素子の感度が、前記熱源が前記複数のレンズのうちの１つのレンズの光軸に沿った第２方向に移動するときの前記焦電素子の感度よりも低くなるように構成されている
ことを特徴とする赤外線検出装置。
【請求項２】
前記光学系は、前記複数の小検知エリアの各々における前記第１方向の最大幅が、前記熱源である人の最小歩行速度により決まる単位時間当たりの人の移動距離よりも小さくなるように構成されている
ことを特徴とする請求項１に記載の赤外線検出装置。
【請求項３】
前記複数のレンズの各々の焦点距離は、１３ｍｍ以上である
ことを特徴とする請求項１に記載の赤外線検出装置。
【請求項４】
前記光学系は、前記複数の小検知エリアの各々における前記第１方向と前記第２方向との両方に交差する第３方向の最大幅が前記第１方向の最大幅よりも大きくなるように構成されている
ことを特徴とする請求項１乃至３のいずれか一項に記載の赤外線検出装置。
【請求項５】
前記光学系は、前記複数の小検知エリアの各々における前記第３方向の最大幅が前記第１方向の最大幅の少なくとも２倍となるように構成されている
ことを特徴とする請求項４に記載の赤外線検出装置。
【請求項６】
前記複数のレンズの各々は、光軸を含む垂直面内での焦点距離と当該光軸を含み前記垂直面に直交する面内での焦点距離とが異なる
ことを特徴とする請求項４又は５に記載の赤外線検出装置。
【請求項７】
前記複数のレンズの各々は、フレネルレンズである
ことを特徴とする請求項６に記載の赤外線検出装置。
【請求項８】
前記光学系は、前記複数のレンズである複数の第１レンズと、垂直面内においてレンズ機能を有し、かつ水平面内においてレンズ機能を有さない第２レンズと、を含む
ことを特徴とする請求項４又は５に記載の赤外線検出装置。
【請求項９】
前記第２レンズは、シリンドリカルレンズである
ことを特徴とする請求項８に記載の赤外線検出装置。
【請求項１０】
前記第２レンズは、フレネルレンズである
ことを特徴とする請求項８に記載の赤外線検出装置。
【請求項１１】
前記焦電素子は、クワッドタイプの焦電素子又はデュアルタイプの焦電素子である
ことを特徴とする請求項１乃至１０のいずれか一項に記載の赤外線検出装置。
【請求項１２】
信号処理部を更に備え、前記信号処理部は、前記焦電素子の出力信号に基づいて前記検知エリアに前記熱源が存在するか否かを判定する
ことを特徴とする請求項１乃至１１のいずれか一項に記載の赤外線検出装置。
【発明の詳細な説明】
【技術分野】
【０００１】
本発明は、一般に赤外線検出装置に関し、より詳細には、検知エリアからの赤外線を焦電素子に集光する光学系を備える赤外線検出装置に関する。
【背景技術】
【０００２】
この種の赤外線検出装置の応用例として、人体（検知対象の熱源）から放射される赤外線を検出する焦電素子と、焦電素子に赤外線を集光する複数のレンズと、焦電素子の出力信号に基づいて人体検知信号を出力する判定装置と、を備える赤外線式人体検知装置が知られている（特許文献１）。
【先行技術文献】
【特許文献】
【０００３】
【特許文献１】特開２０１６−１９１６１０号公報
【発明の概要】
【発明が解決しようとする課題】
【０００４】
赤外線式人体検知装置等に応用される赤外線検出装置では、その使用形態によっては、検知エリアを横切る熱源（つまり、赤外線検出装置の前を横の方向に通り過ぎる熱源）を検知しないことが望まれる場合がある。
【０００５】
本発明の目的は、検知エリアを横切る熱源の検知を抑制することが可能な赤外線検出装置を提供することにある。
【課題を解決するための手段】
【０００６】
本発明に係る一態様の赤外線検出装置は、焦電素子と、光学系と、を備える。前記光学系は、一列に並んだ複数のレンズを含み前記焦電素子に赤外線を集光する。前記焦電素子と前記光学系とを含む受光ユニットにより決まる検知エリアは、前記複数のレンズに一対一に対応する複数の小検知エリアを含む。前記光学系は、検知対象の熱源が前記複数の小検知エリアに交差する第１方向に移動するときの前記焦電素子の感度が、前記熱源が前記複数のレンズのうちの１つのレンズの光軸に沿った第２方向に移動するときの前記焦電素子の感度よりも低くなるように構成されている。
【発明の効果】
【０００７】
本発明の赤外線検出装置は、検知エリアを横切る熱源の検知を抑制することが可能となる。
【図面の簡単な説明】
【０００８】
【図１】図１は、実施形態１に係る赤外線検出装置の要部の断面図である。
【図２】図２は、同上の赤外線検出装置の要部の縦断面図である。
【図３】図３Ａは、同上の赤外線検出装置における焦電素子の正面図である。図３Ｂは、同上の赤外線検出装置における焦電素子に関し、図３ＡのＧ−Ｇ線断面図である。
【図４】図４は、同上の赤外線検出装置の小検知エリアの説明図である。
【図５】図５は、同上の赤外線検出装置の回路ブロック図である。
【図６】図６は、同上の赤外線検出装置の検知エリアの説明図である。
【図７】図７は、同上の赤外線検出装置の検知エリアの説明図である。
【図８】図８Ａは、同上の赤外線検出装置の小検知エリアと第２方向に移動する人との関係説明図である。図８Ｂは、同上の赤外線検出装置の小検知エリアと第１方向に移動する人との関係説明図である。
【図９】図９は、比較例の赤外線検出装置の検知エリアの説明図である。
【図１０】図１０は、実施形態２の赤外線検出装置の要部の断面図である。
【図１１】図１１は、同上の赤外線検出装置の要部の縦断面図である。
【図１２】図１２は、同上の赤外線検出装置の小検知エリアの説明図である。
【図１３】図１３は、実施形態３の赤外線検出装置の要部の断面図である。
【図１４】図１４は、同上の赤外線検出装置の要部の縦断面図である。
【図１５】図１５は、実施形態４の赤外線検出装置の要部の断面図である。
【図１６】図１６は、同上の赤外線検出装置の要部の縦断面図である。
【発明を実施するための形態】
【０００９】
以下の実施形態１〜３等において参照する図１〜４、６〜１６は、いずれも模式的な図であり、図中の各構成要素の大きさや厚さそれぞれの比が、必ずしも実際の寸法比を反映しているとは限らない。
【００１０】
（実施形態１）
（１）赤外線検出装置の全体構成
以下、実施形態１に係る赤外線検出装置１０について、図面を参照して説明する。
【００１１】
赤外線検出装置１０は、図１及び２に示すように、焦電素子２と、光学系３と、を備える。光学系３は、一列に並んだ複数（例えば、１１個）のレンズ３１を含む。光学系３は、焦電素子２に赤外線を集光する。
【００１２】
本実施形態の赤外線検出装置１０は、例えば、検知エリア１１（図６参照）内の熱源２００の検知に用いられる。熱源２００は、例えば、人である。図６では、赤外線検出装置１０の検知エリア１１を二点鎖線で模式的に示してある。ただし、検知エリア１１は、実際には見えない。検知エリア１１は、複数のレンズ３１の光軸Ｂ１（図１及び２参照）を含む平面において扇形である。図６では、熱源２００の移動経路の例を太線の矢印で模式的に示してある。
【００１３】
赤外線検出装置１０では、検知エリア１１は、焦電素子２と光学系３とを含む受光ユニット１により決まる。検知エリア１１は、複数（１１個）のレンズ３１に一対一に対応する複数（１１個）の小検知エリア１２を含む。図６では、各小検知エリア１２にドットのハッチングを付してあるが、これらのハッチングは、断面を表すものではなく、小検知エリア１２と検知エリア１１との関係を分かりやすくするために付してあるにすぎない。
【００１４】
また、赤外線検出装置１０は、信号処理部４（図５参照）を更に備える。信号処理部４は、焦電素子２の出力信号に基づいて人体検出信号を外部装置（外部回路）へ出力するように構成されている。「人体検知信号」は、一例として一定時間だけハイレベルとなるパルス信号としてある。
【００１５】
赤外線検出装置１０は、焦電素子２と光学系３との他に、焦電素子２と信号処理部４とが実装されている実装基板５を更に備えている。実装基板５は、例えば、成形基板である。また、赤外線検出装置１０は、焦電素子２と信号処理部４と実装基板５とを収納しているパッケージ６を更に備えている。
【００１６】
赤外線検出装置１０は、一例として、住宅等の門扉４００（図７参照）に設置されるセキュリティ機器に搭載される。セキュリティ機器は、門扉４００周辺の警戒に用いられる機器であり、門扉４００周辺の人等を撮影するためのカメラを有している。地面３００（図７参照）から赤外線検出装置１０までの高さは、例えば、１．２ｍである。
【００１７】
赤外線検出装置１０の人体検出信号は、例えば、セキュリティ機器においてカメラを起動させるタイミングを決めるためのトリガ信号として利用することができる。
【００１８】
（２）赤外線検出装置の各構成要素
次に、赤外線検出装置１０の各構成要素について、図面を参照して説明する。
【００１９】
（２．１）焦電素子
焦電素子２は、例えば、図３Ａ及び３Ｂに示すように、１枚の焦電体基板２３に４個の検出部２４が形成されたクワッドタイプの焦電素子である。
【００２０】
焦電素子２は、１枚の焦電体基板２３に、４個の検出部２４が２×２のマトリクス状（アレイ状）に配列されている。
【００２１】
焦電体基板２３の平面視形状は、正方形状である。焦電体基板２３は、焦電性を有する基板である。焦電体基板２３は、例えば単結晶のＬｉＴａＯ３基板により構成されている。
【００２２】
複数の検出部２４それぞれの平面視形状は、正方形状である。焦電素子２は、焦電体基板２３の中央部において焦電体基板２３の外周線２３０よりも内側の仮想正方形の４つの角それぞれに検出部２４の中心が位置するように配置されている。
【００２３】
複数の検出部２４それぞれの平面視形状は、正方形状である。複数の検出部２４の各々は、焦電体基板２３の表面２３１に形成された表面電極２５と、焦電体基板２３の裏面２３２に形成された裏面電極２６と、焦電体基板２３において表面電極２５と裏面電極２６とで挟まれた部分２３３と、を含むコンデンサである。表面電極２５は、赤外線を吸収する導電膜（例えば、ＮｉＣｒ膜）により構成されている。図３Ａでは、複数の検出部２４それぞれにおいてマルチレンズ３０側に位置する表面電極２５の極性を、“＋”、“−”の符号で示してある。複数の検出部２４それぞれの受光面２４ａは、表面電極２５の表面である。
【００２４】
上述のように、焦電素子２は、複数の検出部２４として２×２のマトリクス状に配列された４個の検出部２４を備えたクワッドタイプの焦電素子である。ここで、焦電素子２は、２つの対角線方向の各々において並んでいる２個の検出部２４同士が並列接続され、行方向（図３Ａの左右方向）に並んでいる２個の検出部２４同士が逆並列に接続され、列方向（図３Ａの上下方向）に並んでいる２個の検出部２４同士が逆並列に接続されている。したがって、焦電素子２は、２つの対角線方向の各々において並んでいる２個の検出部２４それぞれの表面電極２５の極性が同じである。また、焦電素子２は、行方向に並んでいる２個の検出部２４それぞれの表面電極２５の極性が互いに異なる。また、焦電素子２は、列方向に並んでいる２個の検出部２４それぞれの表面電極２５の極性が互いに異なる。
【００２５】
焦電素子２の光軸は、複数の検出部２４それぞれの受光面２４ａを包含する正方形の中心に立てた法線である。
【００２６】
本実施形態の赤外線検出装置１０の使用形態では、焦電素子２の２つの対角線方向のうちの一方の対角線方向が左右方向となるように赤外線検出装置１０を配置して使用することを想定している。この場合、焦電素子２は、図３Ａに示した状態から平面視で４５°だけ回転させた状態でマルチレンズ３０に臨んでいる。
【００２７】
（２．３）光学系
光学系３は、図１Ａ及び１Ｂに示すように、複数（１１個）のレンズ３１を含むマルチレンズ３０である。
【００２８】
マルチレンズ３０において外部からの赤外線が入射する第１面３０１は、複数のレンズ３１それぞれの入射面の一群により構成されている。マルチレンズ３０において赤外線が出射する第２面３０２は、複数のレンズ３１それぞれの出射面の一群により構成されている。
【００２９】
マルチレンズ３０は、焦電素子２の前方に配置されている。「焦電素子２の前方」とは、焦電素子２の光軸に沿った方向における前方を意味する。
【００３０】
複数のレンズ３１の各々は、焦電素子２に赤外線を集光する集光レンズであり、凸レンズにより構成されている。複数のレンズ３１の各々を構成する凸レンズは、球面レンズであるが、これに限らず、例えば、収差をより小さくする観点から、非球面レンズであってもよい。
【００３１】
マルチレンズ３０は、複数のレンズ３１それぞれの焦電素子２側での焦点が同じ位置となるように設計されている。複数のレンズ３１の各々で制御する制御対象の赤外線は、例えば、５μｍ〜２５μｍの波長域の赤外線である。
【００３２】
マルチレンズ３０の材料は、例えば、ポリエチレンである。より詳細には、マルチレンズ３０の材料は、白色顔料又は黒色顔料が添加されたポリエチレンである。白色顔料としては、例えば、酸化チタン等の無機顔料を採用するのが好ましい。黒色顔料としては、例えば、カーボンブラック等の微粒子を採用するのが好ましい。マルチレンズ３０は、例えば、成形法により形成することができる。成形法としては、例えば、射出成形法、圧縮成形法等を採用することができる。
【００３３】
（２．３）信号処理部
信号処理部４（図５参照）は、例えば、１チップのＩＣ素子（ＩＣ：Integrated Circuit）により構成されている。ＩＣ素子のチップサイズは、例えば、３ｍｍ×２ｍｍである。
【００３４】
信号処理部４は、例えば、図５に示すように、電流電圧変換回路４１と、電圧増幅回路４２と、判定回路４３と、出力回路４４と、を含んでいる。
【００３５】
電流電圧変換回路４１は、焦電素子２から出力される出力信号である電流信号を電圧信号に変換して出力する回路である。電流電圧変換回路４１は、例えば、演算増幅器及びコンデンサ等を用いて構成することができる。
【００３６】
電圧増幅回路４２は、電流電圧変換回路４１から出力された電圧信号のうち所定の周波数帯域（例えば、０．１Ｈｚ〜１０Ｈｚ）の電圧信号を増幅して出力する回路である。電圧増幅回路４２は、バンドパスフィルタとしての機能を有する。バンドパスフィルタとしての機能は、電流電圧変換回路４１から出力された電圧信号のうち上記所定の周波数帯域の成分を通過させ、かつ雑音となる不要な周波数成分を除去する機能である。
【００３７】
判定回路４３は、電圧増幅回路４２から出力される電圧信号と予め設定された閾値とを比較し電圧信号が閾値を超えたか否かを判定する回路である。判定回路４３は、例えば、コンパレータ等を用いて構成することができる。より詳細には、判定回路は、例えば、電圧信号のレベルが第１閾値を超えたとき（上回ったとき）又は第１閾値よりも小さな第２閾値を超えたとき（下回ったとき）に出力信号がＬレベルとなり、第１閾値及び第２閾値のいずれも超えていないときに出力信号がＨレベルとなるように構成されたウィンドコンパレータである。
【００３８】
出力回路４４は、判定回路４３において電圧信号が閾値を超えたと判定されたときに人体検知信号を出力信号として出す回路である。出力回路は、例えば、電界効果トランジスタ及び２つの抵抗等を用いて構成することができる。電界効果トランジスタは、例えば、ｐチャネルのエンハンスメント型ＭＯＳＦＥＴである。
【００３９】
（２．４）パッケージ
パッケージ６は、所謂キャンパッケージ（Can Package）である。キャンパッケージは、メタルパッケージ（Metal Package）とも呼ばれている。パッケージ６は、台座６１と、キャップ６２と、窓材６３と、を含む。
【００４０】
台座６１は、導電性を有する。ここにおいて、台座６１は、金属製である。台座６１は、円盤状であり、厚さ方向の一面側において実装基板５を支持している。
【００４１】
キャップ６２は、導電性を有する。ここにおいて、キャップ６２は、金属製である。キャップ６２は、有底円筒状であり、実装基板５と信号処理部４と焦電素子２とを覆うように台座６１に固着されている。
【００４２】
窓材６３は、赤外線を透過する赤外線透過部材である。窓材６３は、導電性を有する。ここにおいて、窓材６３は、例えば、シリコン基板を含む。窓材６３は、シリコン基板に加えて、このシリコン基板に積層された赤外線光学フィルタを含んでいる。赤外線光学フィルタは、赤外線検出装置１０の検出対象の波長領域の赤外線を透過させる光学多層膜である。
【００４３】
窓材６３は、キャップ６２の前壁に形成された窓孔６２１を塞ぐように配置される。窓材６３は、キャップ６２に対して導電性材料により接合されており、キャップ６２と電気的に接続されている。窓材６３は、焦電素子２の受光面の前方に配置されている。赤外線検出装置１０では、焦電素子２は、その光軸が窓材６３の中心を通るように配置されている。
【００４４】
（２．５）受光ユニット
受光ユニット１は、図１及び２に示すように、焦電素子２と光学系３とを含む。受光ユニット１により決まる検知エリア１１は、図６に示すように、複数（１１個）の小検知エリア１２を含む。検知エリア１１は、複数（１１個）の小検知エリア１２の合成検知エリアである。
【００４５】
図４は、赤外線検出装置１０の複数の小検知エリア１２のうちの１つの小検知エリア１２を、当該１つの小検知エリア１２に対応するレンズ３１の光軸Ｂ１に直交する面内において模式的に表した図である。複数（１１個）の小検知エリア１２の各々は、焦電素子２の複数（４つ）の検出部２４に一対一に対応する複数（４つ）の微小検知エリア１３（図４参照）を含んでいる。したがって、受光ユニット１では、検知エリア１１は、１１×４＝４４個の微小検知エリア１３を含んでいる。
【００４６】
赤外線検出装置１０では、微小検知エリア１３の正面視形状（図４参照）が検出部２４の正面視形状（平面視形状）と略相似形となるように、その微小検知エリア１３を決めるレンズ３１の形状を決めてある。したがって、微小検知エリア１３の正面視形状は、正方形状である。微小検知エリア１３は、検出部２４から離れるほど、赤外線束が通ることのできる断面積が大きくなっている。
【００４７】
図４では、複数（４つ）の微小検知エリア１３のそれぞれに、微小検知エリア１３が対応する検出部２４の表面電極２５の極性を、“＋”、“−”の符号で示してある。“＋”の符号は、プラスの極性を意味し、“−”の符号は、マイナスの極性を意味する。要するに、複数の微小検知エリア１３のそれぞれには、検出部２４に１対１で対応した極性があるとみなすことができる。
【００４８】
複数の微小検知エリア１３は、焦電素子２から見てそれぞれ異なる方向にある。複数の微小検知エリア１３の各々は、斜四角錐状である。複数の微小検知エリア１３の各々の立体角は、小検知エリア１２の立体角よりも小さい。言い換えれば、微小検知エリア１３は、小検知エリア１２よりも狭い。
【００４９】
微小検知エリア１３は、レンズ３１を通して焦電素子２の１つの検出部２４（図３Ａ及び３Ｂ参照）に入射する赤外線束を赤外線の進む方向と反対の方向に延長したときに形成される３次元領域である。言い換えれば、微小検知エリア１３は、焦電素子２の１つの検出部２４の受光面２４ａ上に像をつくるために使われる赤外線束が通ることができる３次元領域である。微小検知エリア１３は、例えば、光線追跡解析ソフトを用いたシミュレーションの結果により推定することが可能である。
【００５０】
赤外線検出装置１０の水平視野角は、扇形の検知エリア１１の中心角（広がり角）と同じである。
【００５１】
検知エリア１１、各小検知エリア１２及び各微小検知エリア１３は、光学的に規定される３次元領域であり、実際に目に見える３次元領域ではない。小検知エリア１２は、パッケージ６（図１及び２参照）の窓材６３の大きさ及び形状、キャップ６２の窓孔６２１の開口形状等にも依存することがある。
【００５２】
（２．６）赤外線検出装置の使用例
赤外線検出装置１０は、例えば、受光ユニット１により決まる検知エリア１１（図６参照）の中心線（本実施形態では１１個のレンズ３１のうち真ん中のレンズ３１の光軸Ｂ１）が斜め下方に向くように配置されて使用される。より詳細には、赤外線検出装置１０は、住宅の門扉４００（図７参照）等に設置されるセキュリティ機器に搭載して使用される。
【００５３】
セキュリティ機器は、カメラと、カメラに電力を供給するバッテリと、制御部と、判断部と、通信部と、を備えている。カメラは、門扉４００周辺の人等を撮影する。制御部は、赤外線検出装置１０からの人体検知信号をトリガとしてバッテリからカメラへの電力供給を開始させる。制御部は、カメラから出力される撮像画像のデータに基づいて家人等への通報の要否を判断し、通報の必要があると判断したときに、予め登録されている携帯端末（スマートフォン等）に撮像画像を送る。制御部は、例えば、ＣＰＵ（Central Processing Unit）及びメモリを含むコンピュータにて構成されている。
【００５４】
（２．７）受光ユニットの詳細
受光ユニット１では、光学系３は、焦電素子２の第１感度が焦電素子２の第２感度よりも低くなるように構成されている。焦電素子２の第１感度は、検知対象の熱源２００が複数（１１個）の小検知エリア１２に交差する第１方向Ｄ１（図６における上下方向）に移動するときの焦電素子２の感度である。焦電素子２の第２感度は、熱源２００が複数のレンズ３１のうちの１つのレンズ３１の光軸Ｂ１に沿った第２方向Ｄ２（図６における左右方向）に移動するときの焦電素子２の感度である。ここでいう「焦電素子２の感度」については、焦電素子２の出力信号のピーク値（絶対値）が大きいほど焦電素子２の感度が高く、ピーク値（絶対値）が小さいほど焦電素子２の感度が低い。
【００５５】
光学系３は、複数の小検知エリア１２の各々における第１方向Ｄ１の最大幅Ｗ１（図４参照）が、熱源２００である人の最小歩行速度により決まる単位時間当たりの人の移動距離よりも小さくなるように構成されている。これにより、光学系３は、第１感度を第２感度よりも低くしている。人の歩行速度は、例えば、０．３ｍ／秒〜１ｍ／秒程度であり、本実施形態では、最小歩行速度は、例えば０．３ｍ／秒である。単位時間は、例えば、１秒である。人の一歩当たりの移動距離（歩幅）は、歩行速度が遅いほど短い傾向にあり、歩行速度０．３ｍ／秒のとき例えば０．３ｍ程度であり、歩行速度１ｍ／秒のとき例えば０．７ｍ程度である。
【００５６】
複数の小検知エリア１２の各々における第１方向Ｄ１の最大幅Ｗ１は、人の最小歩行速度のときの単位時間当たりの移動距離（０．３ｍ程度）よりも小さな値である。複数の小検知エリア１２の各々における第１方向Ｄ１の最大幅Ｗ１は、例えば２０ｃｍ以下であるのが好ましく、１０ｃｍ以下であるのが更に好ましい。第２方向Ｄ２に沿って移動する人を検知する観点から、複数の小検知エリア１２の各々における最大幅Ｗ１は、例えば６ｃｍ以上であるのが好ましい。
【００５７】
赤外線検出装置１０では、複数の小検知エリア１２の各々における第１方向Ｄ１の最大幅Ｗ１が小さくなるほど、検知エリア１１を第１方向Ｄ１に沿って横切る人に対する焦電素子２の感度が低くなる。赤外線検出装置１０では、小検知エリア１２に関して、対応するレンズ３１の光軸Ｂ１に直交する面内において、図４に示すように、第１方向Ｄ１の最大幅Ｗ１と第３方向Ｄ３の最大幅Ｗ３とが略同じになっている。第３方向Ｄ３は、第１方向Ｄ１と第２方向Ｄ２との両方に交差（直交）する方向である。
【００５８】
第１方向Ｄ１に沿って移動する熱源２００（図６及び８Ｂ参照）と１つの微小検知エリア１３とに着目すれば、微小検知エリア１３を横切る熱源２００の移動速度が一定であれば、熱源２００の移動速度が遅いほど焦電素子２の出力信号のピーク値が大きくなり、移動速度が速いほど焦電素子２の出力信号のピーク値が小さくなる。
【００５９】
第２方向Ｄ２に沿って検知エリア１１の外から赤外線検出装置１０に近づいてくる熱源２００（図６及び８Ａ参照）である人は、体の軸が左右に３ｃｍぐらい揺れる傾向にあるが、小検知エリア１２に重なる時間が第１方向Ｄ１の場合と比べて長くなる。このため、第２方向Ｄ２に沿って移動する熱源２００に対する焦電素子２の感度は、第１方向Ｄ１に沿って移動する熱源２００に対する焦電素子２の感度よりも高くなる。
【００６０】
本実施形態の赤外線検出装置１０では、複数のレンズ３１の各々の焦点距離（バックフォーカス）が１５ｍｍである。これにより、光学系３は、第１感度を第２感度よりも低くしている。本実施形態の赤外線検出装置１０では、複数のレンズ３１の各々の焦点距離が１５ｍｍであることにより、複数の小検知エリア１２の各々における第１方向Ｄ１の最大幅Ｗ１が７ｃｍ程度である。
【００６１】
これに対して、本実施形態の赤外線検出装置１０の比較例の赤外線検出装置１００（図９参照）は、光学系として焦点距離７ｍｍのレンズを複数（４つ）備えており、４つの小検知エリア１２０を含む検知エリア１１０を有している。比較例の赤外線検出装置１００では、第１方向Ｄ１における小検知エリア１２０の最大幅は４０ｃｍ程度である。比較例の赤外線検出装置１００では、例えば、赤外線検出装置１００を設置している門扉４００を有する住宅への来訪者ではなく第１方向Ｄ１に沿って検知エリア１１を横切るだけの通行人（熱源２００）を検知しやすくなってしまう。
【００６２】
本実施形態の赤外線検出装置１００における複数のレンズ３１の各々の焦点距離は、１５ｍｍに限らないが、１３ｍｍ以上であるのが好ましい。ただし、焦点距離が長くなると第２方向Ｄ２に沿って移動する熱源２００に対する感度が焦点距離の二乗に反比例として低下する傾向にあるので、第２方向Ｄ２に沿って移動する熱源２００を検知する観点から、焦点距離は、２０ｍｍ以下であるのが好ましい。
【００６３】
（３）効果
本実施形態に係る赤外線検出装置１０は、焦電素子２と、光学系３と、を備える。光学系３は、一列に並んだ複数のレンズ３１を含み焦電素子２に赤外線を集光する。焦電素子２と光学系３とを含む受光ユニット１により決まる検知エリア１１は、複数のレンズ３１に一対一に対応する複数の小検知エリア１２を含む。光学系３は、検知対象の熱源２００が複数の小検知エリア１２に交差する第１方向Ｄ１に移動するときの焦電素子２の感度が、熱源２００が複数のレンズ３１のうちの１つのレンズ３１の光軸Ｂ１に沿った第２方向Ｄ２に移動するときの焦電素子２の感度よりも低くなるように構成されている。これにより、本実施形態に係る赤外線検出装置１０は、検知エリア１１を横切る熱源２００の検知を抑制することが可能となる。よって、本実施形態に係る赤外線検出装置１０では、赤外線検出装置１００を設置している門扉４００を有する住宅への来訪者ではなく第１方向Ｄ１に沿って検知エリア１１を横切るだけの通行人（熱源２００）を検知しにくくなる。これにより、赤外線検出装置１０を搭載したセキュリティ機器では、低消費電力化を図れる。
【００６４】
本実施形態に係る赤外線検出装置１０では、光学系３は、複数の小検知エリア１２の各々における第１方向Ｄ１の最大幅Ｗ１が、熱源２００である人の最小歩行速度により決まる単位時間当たりの人の移動距離よりも小さくなるように構成されている。これにより、本実施形態に係る赤外線検出装置１００では、簡単な構成で、検知エリア１１を横切る熱源２００の検知を抑制することが可能となる。
【００６５】
本実施形態に係る赤外線検出装置１０では、第１の態様において、複数のレンズ３１の各々の焦点距離は、１３ｍｍ以上である。これにより、本実施形態に係る赤外線検出装置１０では、簡単な構成で、検知エリア１１を横切る熱源２００の検知を抑制することが可能となる。
【００６６】
また、本実施形態に係る赤外線検出装置１０では、焦電素子２は、クワッドタイプの焦電素子である。これにより、赤外線検出装置１０は、焦電素子２の周囲温度等によって焦電素子２の感度が変化するのを抑制することが可能となる。
【００６７】
また、本実施形態に係る赤外線検出装置１０は、信号処理部４を更に備える。信号処理部４は、焦電素子２の出力信号に基づいて検知エリア１１に熱源２００が存在するか否かを判定する。これにより、赤外線検出装置１０は、検知エリア１１内を第２方向Ｄ２に沿って移動する熱源２００を検知することが可能となる一方で、検知エリア１１内を第１方向Ｄ１に沿って移動する熱源２００を検知しにくくなる。
【００６８】
（実施形態２）
本実施形態に係る赤外線検出装置１０ａは、図１０及び１１に示すように、光学系３ａの構成が、実施形態１に係る赤外線検出装置１０における光学系３とは相違する。本実施形態に係る赤外線検出装置１０ａに関し、実施形態１に係る赤外線検出装置１０と同様の構成要素については、同一の符号を付して説明を省略する。
【００６９】
光学系３ａは、複数のレンズ３１ａを含むマルチレンズ３０ａである。マルチレンズ３０ａにおいて外部からの赤外線が入射する第１面３０１ａは、複数のレンズ３１ａそれぞれの入射面の一群により構成されている。マルチレンズ３０ａにおいて赤外線が出射する第２面３０２ａは、複数のレンズ３１ａそれぞれの出射面の一群により構成されている。
【００７０】
受光ユニット１ａは、焦電素子２と、光学系３ａと、を含む。受光ユニット１ａは、実施形態１における受光ユニット１と同様、マルチレンズ３０ａとパッケージ６との間に別の光学部材が配置されることはない。
【００７１】
本実施形態に係る赤外線検出装置１０ａでは、光学系３ａは、複数の小検知エリア１２の各々における第１方向Ｄ１と第２方向Ｄ２との両方に交差する第３方向Ｄ３の最大幅Ｗ３が第１方向Ｄ１の最大幅Ｗ１よりも大きくなるように構成されている（図１２参照）。これにより、本実施形態に係る赤外線検出装置１０ａは、検知エリア１１の外から第２方向Ｄ２に沿って検知エリア１１内を赤外線検出装置１０ａに近づいてくる熱源２００に対する焦電素子２の感度をより高くすることが可能となる。よって、赤外線検出装置１０ａは、検知エリア１１の外から第２方向Ｄ２に沿って検知エリア１１内を赤外線検出装置１０ａに近づいてくる熱源２００を、より検知しやすくなる。
【００７２】
本実施形態に係る赤外線検出装置１０ａでは、光学系３ａは、複数の小検知エリア１２の各々における第３方向Ｄ３の最大幅Ｗ３が第１方向Ｄ１の最大幅Ｗ１の少なくとも２倍となるように構成されている。これにより、本実施形態に係る赤外線検出装置１０ａは、検知エリア１１の外から第２方向Ｄ２に沿って検知エリア１１内を赤外線検出装置１０ａに近づいてくる熱源２００を、より検知しやすくなる。
【００７３】
小検知エリア１２の第３方向Ｄ３の最大幅Ｗ３と第１方向Ｄ１の最大幅Ｗ１との比は、検知エリア１１の外から第２方向Ｄ２に沿って検知エリア１１内を赤外線検出装置１０ａに近づいてくる熱源２００を検知する観点から、熱源２００である人の第３方向Ｄ３の最大幅（身長）と第２方向Ｄ２の最大幅（肩幅）との比に近いほうが好ましい。
【００７４】
本実施形態に係る赤外線検出装置１０ａでは、複数のレンズ３１ａの各々は、光軸Ｂ１を含む垂直面内での焦点距離と当該光軸Ｂ１を含み垂直面に直交する面内での焦点距離とが異なる。これにより、本実施形態に係る赤外線検出装置１０ａは、簡単な構成で、検知エリア１１を第１方向Ｄ１に沿って横切る熱源２００の検知を抑制しつつ、第２方向Ｄ２に沿って赤外線検出装置１０ａに近づく熱源２００を検知することが可能となる。
【００７５】
本実施形態に係る赤外線検出装置１０ａでは、複数のレンズ３１ａの各々は、フレネルレンズである。これにより、本実施形態に係る赤外線検出装置１０ａは、フレネルレンズの帯状レンズの形状に応じて、光軸Ｂ１を含む垂直面内での焦点距離と当該光軸Ｂ１を含み垂直面に直交する面内での焦点距離とを異ならせることが可能となる。
【００７６】
図１１に示した例では、レンズ３１ａを構成するフレネルレンズが、１つの中心レンズと、上下２つずつの帯状レンズと、を有しているが、帯状レンズの数は特に限定されない。また、帯状レンズを輪帯状の形状として、上下方向における輪帯の幅と左右方向における輪帯の幅とを変えることにより、光軸Ｂ１を含む垂直面内での焦点距離と当該光軸Ｂ１を含み垂直面に直交する面内での焦点距離とを異ならせてもよい。
【００７７】
（実施形態３）
本実施形態に係る赤外線検出装置１０ｂは、図１３及び図１４に示すように、光学系３ｂの構成が、実施形態１に係る赤外線検出装置１０における光学系３とは相違する。本実施形態に係る赤外線検出装置１０ｂに関し、実施形態１に係る赤外線検出装置１０と同様の構成要素については、同一の符号を付して説明を省略する。
【００７８】
光学系３ｂは、複数のレンズ３１ｂ（以下、第１レンズ３１ｂともいう）を含むマルチレンズ３０ｂに加えて、マルチレンズ３０ｂと焦電素子２との間に配置される第２レンズ３２ｂを含んでいる。マルチレンズ３０ｂにおいて外部からの赤外線が入射する第１面３０１ｂは、複数のレンズ３１ｂそれぞれの入射面の一群により構成されている。マルチレンズ３０ｂにおいて赤外線が出射する第２面３０２ｂは、複数のレンズ３１ｂそれぞれの出射面の一群により構成されている。複数のレンズ３１ｂそれぞれの形状は、実施形態１におけるレンズ３１それぞれの形状と同じである。
【００７９】
第２レンズ３２ｂは、垂直面内においてレンズ機能を有し、かつ水平面内においてレンズ機能を有さない。第２レンズ３２ｂは、シリンドリカルレンズである。ここでいうシリンドリカルレンズは、半円柱状ではないが、複数の第１レンズ３１ｂのそれぞれに対応する部分で見れば、略半円柱状である。
【００８０】
受光ユニット１ｂは、焦電素子２と、光学系３ｂと、を含む。要するに、受光ユニット１ｂは、焦電素子２と、複数の第１レンズ３１ｂと、第２レンズ３２ｂと、を含んでいる。
【００８１】
本実施形態に係る赤外線検出装置１０ｂでは、光学系３ｂは、複数の小検知エリア１２の各々における第１方向Ｄ１と第２方向Ｄ２との両方に交差する第３方向Ｄ３の最大幅Ｗ３が第１方向Ｄ１の最大幅Ｗ１よりも大きくなるように構成されている。（図１２参照）。これにより、本実施形態に係る赤外線検出装置１０ｂは、検知エリア１１の外から第２方向Ｄ２に沿って検知エリア１１内を赤外線検出装置１０ｂに近づいてくる熱源２００に対する焦電素子２の感度をより高くすることが可能となる。よって、赤外線検出装置１０ｂは、検知エリア１１の外から第２方向Ｄ２に沿って検知エリア１１内を赤外線検出装置１０ｂに近づいてくる熱源２００を、より検知しやすくなる。
【００８２】
光学系３ｂは、実施形態２に係る赤外線検出装置１０ａの光学系３ａと同様、複数の小検知エリア１２の各々における第３方向Ｄ３の最大幅Ｗ３が第１方向Ｄ１の最大幅Ｗ１の少なくとも２倍となるように構成されている。これにより、本実施形態に係る赤外線検出装置１０ｂは、検知エリア１１の外から第２方向Ｄ２に沿って検知エリア１１内を赤外線検出装置１０ｂに近づいてくる熱源２００を、より検知しやすくなる。
【００８３】
本実施形態に係る赤外線検出装置１０ｂでは、光学系３ｂは、複数の第１レンズ３１ｂと、垂直面内においてレンズ機能を有し、かつ水平面内においてレンズ機能を有さない第２レンズ３２ｂと、を含む。これにより、本実施形態に係る赤外線検出装置１０ｂは、第２レンズ３２ｂを設けることにより、複数の小検知エリア１２の各々における第３方向Ｄ３の最大幅Ｗ３が第１方向Ｄ１の最大幅Ｗ１の少なくとも２倍となるように構成することが可能となる。
【００８４】
また、本実施形態に係る赤外線検出装置１０ｂでは、第２レンズ３２ｂは、シリンドリカルレンズである。これにより、本実施形態に係る赤外線検出装置１０ｂは、第２レンズ３２ｂの設計が容易になる。
【００８５】
（実施形態４）
本実施形態に係る赤外線検出装置１０ｃは、図１５及び１６に示すように、光学系３ｃの構成が、実施形態１に係る赤外線検出装置１０における光学系３とは相違する。本実施形態に係る赤外線検出装置１０ｃに関し、実施形態１に係る赤外線検出装置１０と同様の構成要素については、同一の符号を付して説明を省略する。
【００８６】
光学系３ｃは、複数のレンズ３１ｃ（以下、第１レンズ３１ｃともいう）を含むマルチレンズ３０ｃに加えて、マルチレンズ３０ｃと焦電素子２との間に配置される第２レンズ３２ｃを含んでいる。マルチレンズ３０ｃにおいて外部からの赤外線が入射する第１面３０１ｃは、複数のレンズ３１ｃそれぞれの入射面の一群により構成されている。マルチレンズ３０ｃにおいて赤外線が出射する第２面３０２ｃは、複数のレンズ３１ｃそれぞれの出射面の一群により構成されている。複数のレンズ３１ｃそれぞれの形状は、実施形態１におけるレンズ３１それぞれの形状と同じである。
【００８７】
第２レンズ３２ｃは、垂直面内においてレンズ機能を有し、かつ水平面内においてレンズ機能を有さない。
【００８８】
本実施形態に係る赤外線検出装置１０ｃでは、第２レンズ３２ｃは、フレネルレンズである。これにより、本実施形態に係る赤外線検出装置１０ｃは、第２レンズ３２ｃの肉厚を実施形態３における第２レンズ３２ｂと比べて薄くすることが可能となり、第２方向Ｄ２に沿って移動する熱源２００に対する焦電素子２の感度の低下を抑制することが可能となる。
【００８９】
図１６に示した例では、第２レンズ３２ｃを構成するフレネルレンズが、１つの中心レンズと、上下２つずつの帯状レンズと、を有しているが、帯状レンズの数は特に限定されない。
【００９０】
上記の実施形態１〜４は、本発明の様々な実施形態の一つに過ぎない。上記の実施形態は、本発明の目的を達成できれば、設計等に応じて種々の変更が可能である。
【００９１】
例えば、焦電素子２は、クワッドタイプの焦電素子に限らず、デュアルタイプの焦電素子、シングルタイプの焦電素子等でもよい。また、焦電素子２における検出部２４の形状、配列等も特に限定されない。例えば、焦電素子２は、１枚の焦電体基板２３に、４個の検出部２４が１×４のアレイ状に配列された構成でもよい。この場合、４つの検出部２４の各々の平面視形状は、長方形である。また、隣り合う検出部２４同士が逆並列に接続されている。また、焦電素子２は、焦電体基板を備えた構成に限らず、例えば、シリコン基板の表面上の電気絶縁膜上に、裏面電極、焦電体薄膜及び表面電極がこの順に並んで構成される検出部が形成されたチップでもよい。このようなチップは、例えば、マイクロマシニング技術及び焦電体薄膜の形成技術等を利用して形成することができる。
【００９２】
また、焦電素子２は、電流検出モードで使用され出力信号として電流信号を出力する焦電素子であるが、これに限らない。例えば、焦電素子２は、電圧検出モードで使用され出力信号として電圧信号を出力する焦電素子でもよい。この場合、上述の信号処理部４における電流電圧変換回路４１は、不要である。
【００９３】
マルチレンズ３０は、複数のレンズ３１が少なくとも一列に並んでいればよく、複数列に並んでいてもよい。複数列に並んでいる場合には、各小検知エリア１２の第１方向Ｄ１における最大幅Ｗ１をより小さくすることも可能となる。マルチレンズ３０ａ、３０ｂ及び３０ｃについても、同様に、複数のレンズ３１ａ、３１ｂ及び３１ｃが複数列に並んでいてもよい。
【００９４】
また、パッケージ６における窓材６３は、シリコンレンズ等の半導体レンズであってもよい。この場合、赤外線検出装置１０では、半導体レンズが、光学系３の一部を構成する。言い換えれば、光学系３は、焦電素子２と複数のレンズ３１と半導体レンズとを含む。
【００９５】
（まとめ）
以上説明した実施形態１〜４等から以下の態様が開示されていることは明らかである。
【００９６】
第１の態様に係る赤外線検出装置（１０；１０ａ；１０ｂ；１０ｃ）は、焦電素子（２）と、光学系（３；３ａ；３ｂ；３ｃ）と、を備える。光学系（３；３ａ；３ｂ；３ｃ）は、一列に並んだ複数のレンズ（３１；３１ａ；３１ｂ；３１ｃ）を含み焦電素子（２）に赤外線を集光する。焦電素子（２）と光学系（３；３ａ；３ｂ；３ｃ）とを含む受光ユニット（１ａ；１ｂ；１ｃ；１ｄ）により決まる検知エリア（１１）は、複数のレンズ（３１；３１ａ；３１ｂ；３１ｃ）に一対一に対応する複数の小検知エリア（１２）を含む。光学系（３；３ａ；３ｂ；３ｃ）は、検知対象の熱源（２００）が複数の小検知エリア（１２）に交差する第１方向（Ｄ１）に移動するときの焦電素子（２）の感度が、熱源（２００）が複数のレンズ（３１；３１ａ；３１ｂ；３１ｃ）のうちの１つのレンズ（３１；３１ａ；３１ｂ；３１ｃ）の光軸に沿った第２方向（Ｄ２）に移動するときの焦電素子（２）の感度よりも小さくなるように構成されている。
【００９７】
第１の態様に係る赤外線検出装置（１０；１０ａ；１０ｂ；１０ｃ）は、検知エリア（１１）を横切る熱源（２００）の検知を抑制することが可能となる。
【００９８】
第２の態様に係る赤外線検出装置（１０；１０ａ；１０ｂ）では、第１の態様において、光学系（３；３ａ；３ｂ）は、複数の小検知エリア（１２）の各々における第１方向（Ｄ１）の最大幅（Ｗ１）が、熱源（２００）である人の最小歩行速度により決まる単位時間当たりの人の移動距離よりも小さくなるように構成されている。
【００９９】
第２の態様に係る赤外線検出装置（１０；１０ａ；１０ｂ；１０ｃ）は、簡単な構成で、検知エリア（１１）を横切る熱源（２００）の検知を抑制することが可能となる。
【０１００】
第３の態様に係る赤外線検出装置（１０；１０ａ）では、第１の態様において、複数のレンズ（３１；３１ａ）の各々の焦点距離は、１３ｍｍ以上である。
【０１０１】
第３の態様に係る赤外線検出装置（１０；１０ａ）は、簡単な構成で、検知エリア（１１）を横切る熱源（２００）の検知を抑制することが可能となる。
【０１０２】
第４の態様に係る赤外線検出装置（１０ａ；１０ｂ；１０ｃ）では、第１乃至３の態様のいずれか一つにおいて、光学系（３ａ；３ｂ；３ｃ）は、複数の小検知エリア（１２）の各々における第１方向（Ｄ１）と第２方向（Ｄ２）との両方に交差する第３方向（Ｄ３）の最大幅（Ｗ３）が第１方向（Ｄ１）の最大幅（Ｗ１）よりも大きくなるように構成されている。
【０１０３】
第４の態様に係る赤外線検出装置（１０ａ；１０ｂ；１０ｃ）は、検知エリア（１１）の外から第２方向（Ｄ２）に沿って検知エリア（１１）内を赤外線検出装置（１０ａ；１０ｂ；１０ｃ）に近づいてくる熱源（２００）を、より検知しやすくなる。
【０１０４】
第５の態様に係る赤外線検出装置（１０ａ；１０ｂ；１０ｃ）では、第４の態様において、光学系（３ａ；３ｂ；３ｃ）は、複数の小検知エリア（１２）の各々における第３方向（Ｄ３）の最大幅（Ｗ３）が第１方向（Ｄ１）の最大幅（Ｗ１）の少なくとも２倍となるように構成されている。
【０１０５】
第５の態様に係る赤外線検出装置（１０ａ；１０ｂ；１０ｃ）は、検知エリア（１１）の外から第２方向（Ｄ２）に沿って検知エリア（１１）内を赤外線検出装置（１０ａ；１０ｂ；１０ｃ）に近づいてくる熱源（２００）を、より検知しやすくなる。
【０１０６】
第６の態様に係る赤外線検出装置（１０ａ）では、第４又は５の態様において、複数のレンズ（３１ｂ）の各々は、光軸（Ｂ１）を含む垂直面内での焦点距離と当該光軸（Ｂ１）を含み垂直面に直交する面内での焦点距離とが異なる。
【０１０７】
第６の態様に係る赤外線検出装置（１０ａ）は、簡単な構成で、検知エリア（１１）を第１方向（Ｄ１）に沿って横切る熱源（２００）の検知を抑制しつつ、第２方向（Ｄ２）に沿って赤外線検出装置（１０ａ）に近づく熱源（２００）を検知することが可能となる。
【０１０８】
第７の態様に係る赤外線検出装置（１０ａ）では、第６の態様において、複数のレンズ（３１ａ）の各々は、フレネルレンズである。
【０１０９】
第７の態様に係る赤外線検出装置（１０ａ）では、フレネルレンズの帯状レンズの形状に応じて、レンズ（３１ａ）の光軸（Ｂ１）を含む垂直面内での焦点距離と当該光軸（Ｂ１）を含み垂直面に直交する面内での焦点距離とを異ならせることが可能となる。
【０１１０】
第８の態様に係る赤外線検出装置（１０ｂ）では、第４又は５の態様において、光学系（３ｂ；３ｃ）は、複数のレンズ（３１ｂ；３１ｃ）である複数の第１レンズと、垂直面内においてレンズ機能を有し、かつ水平面内においてレンズ機能を有さない第２レンズ（３２ｂ；３２ｃ）と、を含む。
【０１１１】
第８の態様に係る赤外線検出装置（１０ｂ）は、第２レンズ（３２ｂ；３２ｃ）を設けることにより、複数の小検知エリア（１２）の各々における第３方向（Ｄ３）の最大幅（Ｗ３）が第１方向（Ｄ１）の最大幅（Ｗ１）の少なくとも２倍となるように構成することが可能となる。
【０１１２】
第９の態様に係る赤外線検出装置（１０ｂ）では、第８の態様において、第２レンズ（３２ｂ）は、シリンドリカルレンズである。
【０１１３】
第９の態様に係る赤外線検出装置（１０ｂ）は、第２レンズ（３２ｂ）の設計が容易になる。
【０１１４】
第１０の態様に係る赤外線検出装置（１０ｃ）では、第８の態様において、第２レンズ（３２ｃ）は、フレネルレンズである。
【０１１５】
第１０の態様に係る赤外線検出装置（１０ｃ）は、第２レンズ（３２ｃ）の肉厚を第２レンズ（３２ｂ）と比べて薄くすることが可能となり、第２方向（Ｄ２）に沿って移動する熱源（２００）に対する焦電素子（２）の感度の低下を抑制することが可能となる。
【０１１６】
第１１の態様に係る赤外線検出装置（１０；１０ａ；１０ｂ；１０ｃ）では、第１乃至１０の態様のいずれか一つにおいて、焦電素子（２）は、クワッドタイプの焦電素子又はデュアルタイプの焦電素子である。
【０１１７】
第１１の態様に係る赤外線検出装置（１０；１０ａ；１０ｂ；１０ｃ）は、焦電素子（２）の周囲温度等によって焦電素子（２）の感度が変化するのを抑制することが可能となる。
【０１１８】
第１２の態様に係る赤外線検出装置（１０；１０ａ；１０ｂ；１０ｃ）は、第１乃至１１の態様のいずれか一つにおいて、信号処理部（４）を更に備える。信号処理部（４）は、焦電素子（２）の出力信号に基づいて検知エリア（１１）に熱源（２００）が存在するか否かを判定する。
【０１１９】
第１２の態様に係る赤外線検出装置（１０；１０ａ；１０ｂ；１０ｃ）は、検知エリア（１１）内を第２方向（Ｄ２）に沿って移動する熱源（２００）を検知することが可能となる一方で、検知エリア（１１）内を第１方向（Ｄ１）に沿って移動する熱源（２００）を検知しにくくなる。
【符号の説明】
【０１２０】
１０、１０ａ、１０ｂ、１０ｃ  赤外線検出装置
１、１ａ、１ｂ、１ｃ  受光ユニット
２  焦電素子
３、３ａ、３ｂ、３ｃ  光学系
３１、３１ａ  レンズ
３１ｂ、３１ｃ  レンズ（第１レンズ）
３２ｂ、３２ｃ  第２レンズ
４  信号処理部
１１  検知エリア
１２  小検知エリア
１３  微小検知エリア
２００  熱源
Ｂ１  光軸
Ｄ１  第１方向
Ｄ２  第２方向
Ｄ３  第３方向
Ｗ１  最大幅
Ｗ３  最大幅
【図１】
2019039777.tif 000003
【図２】
2019039777.tif 000004
【図３】
2019039777.tif 000005
【図４】
2019039777.tif 000006
【図５】
2019039777.tif 000007
【図６】
2019039777.tif 000008
【図７】
2019039777.tif 000009
【図８】
2019039777.tif 000010
【図９】
2019039777.tif 000011
【図１０】
2019039777.tif 000012
【図１１】
2019039777.tif 000013
【図１２】
2019039777.tif 000014
【図１３】
2019039777.tif 000015
【図１４】
2019039777.tif 000016
【図１５】
2019039777.tif 000017
【図１６】
2019039777.tif 000018